(57)【要約】【課題】省電力モード時にもＲＡＭのデータを保持し高速復帰可能な画像処理装置でも、「省電力優先」か「復帰時間優先」を自動または手動で選択可能とし、「復帰時間優先」でＲＡＭに電力を供給して保持データを使用して高速復帰し、「省電力優先」にはＲＡＭの電力供給を遮断して省電力モード時の消費電力を低減させる。【解決手段】ＣＰＵ１０１が動作するために必要なデータを保持するＲＡＭ１０４と、ＣＰＵ１０１が制御する際の消費電力値にしたがって省電力モード時にＲＡＭ１０４への電力の供給または遮断を行うＡＳＩＣ１０２と、省電力モードから通常動作モードへの復帰条件となった場合、省電力優先または復帰時間優先として制御するコントローラ１００と、を備え、コントローラ１００は、復帰時間優先時にＲＡＭ１０４への電力を供給し、省電力優先の場合にＲＡＭ１０４への電力供給を遮断するようにＡＳＩＣ１０２を制御する。【選択図】図１
2011061309.tif 000002
【特許請求の範囲】
【請求項１】
通常動作モードよりも消費電力の小さい省電力モードに移行させる省電力モード移行機能と、前記通常動作モードに復帰させる復帰機能と、を有し、装置各部の制御を行う制御手段により画像データの処理を実行する画像処理装置であって、
前記制御手段が動作するために必要なデータを保持するデータ保持手段と、
前記制御手段が制御を実行する際の消費電力値にしたがって省電力モード時に前記データ保持手段への電力の供給または遮断を行う電力制御手段と、
前記省電力モードから通常動作モードへの復帰条件となった場合、省電力優先または復帰時間優先として制御する本体制御手段と、
を備え、
前記本体制御手段は、前記復帰時間優先の場合に前記データ保持手段への電力を供給し、前記省電力優先の場合に前記データ保持手段への電力供給を遮断するように前記電力制御手段を制御することを特徴とする画像処理装置。
【請求項２】
前記制御手段が、複数のアプリケーションプログラムを起動する画像処理装置であって、
前記本体制御手段は、起動するアプリケーションプログラムの数または容量が一定値以下の場合、省電力モード時に前記データ保持手段への電力供給を遮断することを特徴とする請求項１に記載の画像処理装置。
【請求項３】
省電力モード時にオプションのハードウェアに電力を供給する画像処理装置であって、
前記本体制御手段は、前記制御手段がオプションのハードウェアの消費電力を一定値以下であると検知した場合、消費電力モード時に前記データ保持手段への電力を供給しておいて復帰時間を優先することを特徴とする請求項１に記載の画像処理装置。
【請求項４】
同じ空間に複数の機器がそれぞれ連携可能に接続される画像処理装置であって、
前記本体制御手段は、一部の機器は省電力優先、他方は復帰時間優先として制御することを特徴とする請求項１に記載の画像処理装置。
【請求項５】
通常動作モードよりも消費電力の小さい省電力モードに移行させる省電力モード移行機能と、前記通常動作モードに復帰させる復帰機能と、を有し、装置各部の制御を行う制御手段により画像データの処理を実行する画像処理装置であって、
前記制御手段が動作するために必要なデータを保持するデータ保持手段と、
前記省電力モードからの復帰要因を検出する復帰要因検出手段と、
前記省電力モード時に前記データ保持手段に電力を供給しデータを保持するか否かを選択する省電力モード選択手段と、
前記省電力モード選択手段による選択情報に応じて前記データ保持手段への電力供給を制御する電力制御手段と、
前記通常動作モードへの復帰時に、前記省電力モード選択手段からのユーザーによる省電力優先または復帰時間優先の選択を受け付ける選択受付手段と、
前記復帰時間優先の場合に前記データ保持手段への電力を供給し、前記省電力優先の場合に前記データ保持手段への電力供給を遮断するように前記電力制御手段を制御する本体制御手段と、
を備えることを特徴とする画像処理装置。
【請求項６】
前記制御手段は、前記通常動作モードへ復帰する際に、前記省電力モード検知手段による検知情報に応じて、前記データ保持手段に保持されたデータを使用して動作を再開するか否かを決定することを特徴とする請求項５に記載の画像処理装置。
【請求項７】
さらに、不揮発性記憶手段を備え、
前記制御手段は、前記省電力モード選択手段による選択情報を前記不揮発性記憶手段に記憶させることを特徴とする請求項５または６に記載の画像処理装置。
【請求項８】
さらに、前記制御手段と前記省電力モード検知手段との通信手段を二つ以上備え、
前記通信手段のうち少なくとも一つは前記データ保持手段を使用せずに動作可能であることを特徴とする請求項５，６または７に記載の画像処理装置。
【請求項９】
前記省電力モード時に前記データ保持手段に電力を供給しデータを保持する場合と保持しない場合の消費電力値を前記省電力モード選択手段による選択時に通知することを特徴とする請求項５〜８のいずれか一つに記載の画像処理装置。
【請求項１０】
前記省電力モード時に前記データ保持手段に電力を供給しデータを保持する場合と保持しない場合の復帰に要する時間を前記省電力モード選択手段による選択時に通知することを特徴とする請求項５〜９のいずれか一つに記載の画像処理装置。
【発明の詳細な説明】
【技術分野】
【０００１】
本発明は、画像処理装置に関するものである。
【背景技術】
【０００２】
従来、画像処理装置においては、通常動作時に動作するが待機時には動作しないデバイス、モジュール、およびユニットに対して電力を供給しないモード（省電力モード）を備えるが、その省電力モード中でもＲＡＭには電力を供給し、通常動作モードに復帰するために必要なデータを保持する形態（ＳＴＲ：Ｓｕｓｐｅｎｄ  ｔｏ  ＲＡＭ）により、復帰時間を短縮することが知られている。
【０００３】
たとえば、特許文献１には、高速に通常動作モードへ復帰する目的で、省電力モード時にもＲＡＭに電力を供給しておく構成が開示されている。
【発明の概要】
【発明が解決しようとする課題】
【０００４】
しかしながら、上記に示されるような特許文献１の技術にあっては、省電力モードから通常動作モードに高速復帰することが可能であるものの、高速復帰が不要な場合に無駄に消費電力が増えてしまうという問題は解消されていなかった。すなわち、省電力モード時にもＲＡＭのデータを保持し高速復帰可能な画像処理装置では、常にＲＡＭに電力を供給しており、高速復帰を求めていない場合において、無駄に電力を消費してしまうという問題があった。
【０００５】
本発明は、上記に鑑みてなされたものであって、省電力モード時にもＲＡＭのデータを保持し高速復帰可能な画像処理装置でも、「省電力優先」か「復帰時間優先」を自動または手動で選択することを可能とし、「復帰時間優先」の際はＲＡＭに電力を供給して保持していたデータを使用して高速復帰し、「省電力優先」の場合はＲＡＭの電力供給を遮断して省電力モード時の消費電力を低減させることを目的とする。
【課題を解決するための手段】
【０００６】
上述した課題を解決し、目的を達成するために、本発明は、通常動作モードよりも消費電力の小さい省電力モードに移行させる省電力モード移行機能と、前記通常動作モードに復帰させる復帰機能と、を有し、装置各部の制御を行う制御手段により画像データの処理を実行する画像処理装置であって、前記制御手段が動作するために必要なデータを保持するデータ保持手段と、前記制御手段が制御を実行する際の消費電力値にしたがって省電力モード時に前記データ保持手段への電力の供給または遮断を行う電力制御手段と、前記省電力モードから通常動作モードへの復帰条件となった場合、省電力優先または復帰時間優先として制御する本体制御手段と、を備え、前記本体制御手段は、前記復帰時間優先の場合に前記データ保持手段への電力を供給し、前記省電力優先の場合に前記データ保持手段への電力供給を遮断するように前記電力制御手段を制御することを特徴とする。
【発明の効果】
【０００７】
本発明にかかる画像処理装置は、省電力モード時にもデータ保持手段がデータを保持し高速復帰可能な画像処理装置でも、ユーザーあるいは装置内部で「省電力優先」か「復帰時間優先」を選択し、「復帰時間優先」の際はデータ保持手段に電力を供給し、保持していたデータを使用して高速復帰し、「省電力優先」の場合はデータ保持手段への電力供給を遮断するので、省電力モード中でもデータ保持手段には電力を供給し、通常動作モードに復帰するために必要なデータを保持することにより高速復帰が可能な画像処理装置において、通常動作モードに高速復帰が不要な場合に、省電力モード時の消費電力のさらなる低減を実現できるという効果を奏する。
【図面の簡単な説明】
【０００８】
【図１】図１は、この実施の形態にかかる画像処理装置のシステム構成を示すブロック図である。
【図２】図２は、図１の構成におけるＣＰＵへの電力遮断で、ＲＡＭへの電力供給状態を示すブロック図である。
【図３】図３は、図２は、図１の構成におけるＣＰＵおよびＲＡＭへの電力遮断状態を示すブロック図である。
【図４】図４は、操作部における「復帰時間優先」の表示選択画面例（１）を示す説明図である。
【図５】図５は、操作部における「復帰時間優先」の表示選択画面例（２）を示す説明図である。
【図６】図６は、操作部における「復帰時間優先」の表示選択画面例（３）を示す説明図である。
【図７】図７は、操作部における「復帰時間優先」の表示選択画面例（４）を示す説明図である。
【図８】図８は、この実施の形態にかかる画像処理装置の動作例を示すフローチャートである。
【図９】図９は、この実施の形態にかかる画像処理装置の他のシステム構成を示すブロック図である。
【発明を実施するための形態】
【０００９】
以下に添付図面を参照して、この発明にかかる画像処理装置の一実施の形態を詳細に説明する。
【００１０】
（実施の形態）
本発明は、省電力モードへの移行および通常動作モードへの復帰に際して、以下の特徴を有する。要するに、ＲＡＭへ電力を供給する電源のＯＦＦ，ＯＮを制御し、また、ＣＰＵが起動するときに、ＳＴＲ（通常動作モードに復帰するために必要なデータを保持する）状態からの復帰かＲＡＭにデータが保持されていない状態からの復帰かを検知する。また、通常動作モードへの高速復帰が必要な場合は、省電力モード移行時にＣＰＵへの電力供給は遮断するが、ＲＡＭへの電力は供給のままで、復帰時に必要となるデータを保持しておき、通常動作モードへの復帰時に、ＣＰＵへの電源供給が再開され、ＣＰＵはＳＴＲ状態からの復帰と判断し、ＲＡＭに保持されたデータを使用して高速に復帰する。また、通常動作モードへの高速復帰が不要な場合は、省電力モード移行時にＣＰＵおよびＲＡＭへの電力供給を遮断し、通常動作モードへの復帰時に、ＣＰＵおよびＲＡＭへの電源供給が再開され、ＣＰＵはＲＡＭにデータが保持されていない状態からの復帰と判断し、通常の電源ＯＮ時と同じくＲＡＭへプログラムを展開する処理等を実施して起動する。以下、具体的な構成および動作について説明する。なお、ＳＴＲはＳｕｓｐｅｎｄ  ｔｏ  ＲＡＭの略称であり、以下、ＳＴＲと記述する。
【００１１】
図１は、この実施の形態にかかる画像処理装置のシステム構成を示すブロック図である。この図１において、符号１００は本体制御手段としてのコントローラ、符号１０１は装置各部を制御する制御手段としてのＣＰＵ（ｃｅｎｔｒａｌ  ｐｒｏｃｅｓｓｉｎｇ  ｕｎｉｔ）、符号１０２は省電力モーと検知機能やＣＰＵ１０１やＲＡＭ１０４への電力供給または遮断といった電力制御機能などを有するＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、符号１０３はネットワークＩ／Ｆ（インターフェイス）、符号１０４はデータ保持手段としてのＲＡＭ（Ｒａｎｄｏｍ  Ａｃｃｅｓｓ  Ｍｅｍｏｒｙ）、符号１０５はＲＯＭ（Ｒｅａｄ  Ｏｎｌｙ  Ｍｅｍｏｒｙ）、符号１０６は不揮発性記憶手段としてのＮＶＲＡＭ（ｎｏｎ  ｖｏｌａｔｉｌｅ  ＲＡＭ）、符号２００はユーザーによる操作入力キーや操作表示可能なパネルを有する操作部、符号２０１は操作部スイッチ、符号３００は原稿画像を読み取るスキャナ、符号３０１は原稿をコンタクトガラス上に載置された原稿を押える圧板の開閉を検知する圧板開閉検知センサ、符号３０２は原稿が所定位置にセットされたことを検知する原稿セット検知センサ、符号４０１はＣＰＵ１０１，ＲＯＭ１０５，ＮＶＲＡＭ１０６へ電力を供給する電源Ａ、符号４０２はＲＡＭ１０４へ電力を供給する電源Ｂ、符号５００ａ〜ｎはネットワークＩ／Ｆ１０３を介してコントローラ１００に相互通信可能に接続されるホストコンピュータ（以下、ホストＰＣと記述する）である。
【００１２】
画像処理装置のコントローラ１００は、複写機あるいは複写機能・プリンタ機能・ファクシミリ機構などの多機能を有する複合機などに含まれ、画像を形成するための作像エンジンを制御するためのエンジン制御部（不図示）と相互通信可能に接続され、各種の制御を実行する。
【００１３】
画像処理装置のコントローラ１００は、メインの制御を行うＣＰＵ１０１、起動時のプログラムを格納するＲＯＭ１０５や各種設定値を保存するＮＶＲＡＭ１０６、さらにプログラムを展開し実行するためのＲＡＭ１０４を備える。
【００１４】
さらに、コントローラ１００は、省電力モード制御コントローラやネットワークを含む各種Ｉ／ＯコントローラおよびＤＭＡコントローラ、割り込みコントローラ等を有するＡＳＩＣ１０２を備え、通常動作モードではＣＰＵ１０１が制御を行うが、省電力モードに移行した場合には、ＣＰＵ１０１への電力供給を遮断し、ＡＳＩＣ１０２が制御を行う。ただ、省電力モード時の制御はＡＳＩＣ１０２でなくてもよく、ＣＰＵ１０１が行ってもよいが、ＣＰＵ１０１よりもＡＳＩＣ１０２の方が消費電力が小さい場合は、ＣＰＵ１０１に電力を供給しない方がよい。また、ＡＳＩＣ１０２はＡＳＩＣでなくてもよく、ＣＰＵ１０１よりも消費電力の小さいＣＰＵでもよい。
【００１５】
また、図ではＣＰＵ１０１に電源を供給するのは電源Ａ４０１のみであるが、ＣＰＵ１０１が異なる複数の電圧を必要とする場合は、複数の電源を使用する。他のデバイスについても同様に複数の電源を必要とする場合がある。さらに、ＲＡＭ１０４やＲＯＭ１０５、ＮＶＲＡＭ１０６にも電源Ａ４０１から電力を供給しているがＣＰＵと異なる電圧の場合等は別に電源を用意する必要がある。
【００１６】
つぎに、省電力モードでＣＰＵ１０１への電力供給を遮断する方法を図２および図３を参照して説明する。省電力モードでＣＰＵ１０１への電力供給を遮断する方法としては、たとえば、ＣＰＵ１０１に電力を供給する電源Ａ４０１のＥｎａｂｌｅ端子（電源のＯＮ（オン），ＯＦＦ（オフ）を制御する端子）がＡＳＩＣ１０２に接続されており、省電力モードに移行する際にＣＰＵ１０１はＡＳＩＣ１０２のレジスタ制御により、ＣＰＵ１０１に電力を供給する電源Ａ４０１をＯＦＦにする（図２、３参照）。
【００１７】
また、ＲＡＭ１０４への電力制御も同様で、電源Ｂ４０２のＥｎａｂｌｅ端子をＡＳＩＣ１０２のレジスタ制御によりネゲートすることで、ＲＡＭ１０４への電力供給を遮断する（図３参照）。
【００１８】
また、省電力モード時にＲＡＭ１０４へ電力を供給するか否かの選択は、たとえばＡＳＩＣ１０２がＳＴＲ移行レジスタを備え、本レジスタの値が１に設定されていれば省電力モード時にも電源Ｂ４０２のＥｎａｂｌｅ端子はアサートのまま（ＲＡＭ１０４に電力が供給されているまま）で（図３参照）、本レジスタの値が０に設定されているときは省電力モード移行時に電源Ｂ４０２のＥｎａｂｌｅ端子がネゲートされる（ＲＡＭ１０４への電力供給が遮断される）という形態で実施できる（図２参照）。
【００１９】
たとえば、操作部２００に図４に示すように「復帰時間優先」か「省電力優先」かを選択可能に表示し、キー操作もしくはタッチパネルによる操作で「復帰時間優先」か「省電力優先」を選択する。「復帰時間優先」が選ばれた場合はＲＡＭ１０４のデータを保持するために省電力モード時もＲＡＭ１０４に電力を供給し、ＡＳＩＣ１０２のＳＴＲ移行レジスタに１を設定する。また、「省電力優先」が選ばれた場合にはＡＳＩＣ１０２のＳＴＲ移行レジスタには０を設定する。
【００２０】
また、ここでのＳＴＲ移行レジスタの設定値はＮＶＲＡＭ１０６にも保存しておくと、装置を電源ＯＦＦしたとしても、つぎの電源ＯＮ時に、前回の設定値を知ることができ、その設定値をＡＳＩＣ１０２のＳＴＲ移行レジスタに設定することにより、電源ＯＦＦ，ＯＮの度にユーザーが設定するという手間が省ける。
【００２１】
また、図５に示すように、「復帰時間優先」と「省電力優先」の両状態における省電力モード時の消費電力を表示すると、ユーザーがその情報を知ることできてよい。また、図６に示すように、「復帰時間優先」と「省電力優先」の両状態における復帰に要する時間を表示するのもよい。図７は、図５と図６で表示していたものを合わせたものであり、この表示も好ましい。
【００２２】
一方、上述した方法は、ユーザーやサービスマン等の人を介して、省電力モードから高速復帰か消費電力低減かを切り替えるものであったが、そうではなく装置内部で、つまり人を介さないで実行する手段もある。
【００２３】
たとえば、複数のアプリケーションプログラムを起動する機器であって、起動するアプリケーションの数もしくは容量が一定値以下であれば、ＣＰＵ１０１がそれを検知して、省電力モード時にＲＡＭ１０４の電源をＯＦＦしてもよい。それは、アプリケーションプログラムが少なければ、それらをＲＡＭ１０４に展開する時間が大きくないため、省電力モード時にＲＡＭ１０４の電源をＯＦＦし、復帰時にはプログラムをＲＡＭ１０４に展開して起動しても、復帰時間が大きく増えないためである。また、ハードウェアのオプションが使用できる場合、そのオプションが省電力モード時にも電源を供給し続けるものであれば、そのときの消費電力が増加してしまう。そのようなオプションの代表的なものには、無線ＬＡＮ（Ｌｏｃａｌ  Ａｒｅａ  Ｎｅｔｗｏｒｋ）やＦＡＸ（ファクシミリ装置）等のＩ／Ｆオプションがある。そして、オプション追加時の省電力モード時の消費電力をＣＰＵ１０１が検知して、ある一定値以下であれば、省電力モード時にもＲＡＭ１０４に電源を供給しておき復帰時間を優先するという方法でもよい。
【００２４】
他にも、同じ空間に機器が複数ある場合、それらがＬＡＮ（Ｌｏｃａｌ  Ａｒｅａ  Ｎｅｔｗｏｒｋ）等で接続され連携できるようにしておき、一部の機器は省電力優先になり、一部は復帰時間優先になるような方法でもよい。そうすると、ユーザーが早く復帰させて使いたい場合は復帰時間優先になっている機器を使用し、復帰時間が遅くてもよい場合は省電力モード優先になっている機器を使用できる。
【００２５】
図８は、この実施の形態にかかる画像処理装置の動作例を示すフローチャートである。この動作はコントローラ１００によって統括的に実行される。コントローラ１００は、まず、省電力モードの移行条件が発生したか否かを判断する（ステップＳ１０１）。ここでは、ある条件になった場合に省電力モードに移行するが、その省電力モード移行の条件には、たとえば、操作部２００の操作部スイッチ２０１の押下や、一定時間以上ユーザーからの動作要求がないことなどがある。これらの移行条件が発生した場合（ステップＳ１０１：ＹＥＳ）に、実行中の処理の停止や、コントローラ以外のモジュールに対する省電力モードへの移行通知、エンジンやＨＤＤ等の省電力モード時に不要となるモジュールの電源ＯＦＦ、等の省電力モード移行処理を実行する（ステップＳ１０２）。
【００２６】
続いて、コントローラ１００は、ＳＴＲへ移行するか否かを判断する（ステップＳ１０３）。ここではＳＴＲ移行レジスタが１か０であるかにより、通常動作モードに復帰するために必要なデータを保持するＳＴＲへ移行するかを判断する。このステップＳ１０３においてＳＴＲ移行レジスタを読んで０の場合（判断ＮＯ）は、省電力モード時にＲＡＭ１０４の電力供給も遮断するので、電源Ａ４０１をＯＦＦすると同時に電源Ｂ４０２もＯＦＦする（ステップＳ１０４）。
【００２７】
一方、ステップＳ１０４においてＳＴＲ移行レジスタを読んで１の場合（判断ＹＥＳ）は、省電力モード時に電源Ａ４０１をＯＦＦし電源Ｂ４０２はＯＮとするが、ＣＰＵ１０１の電源がＯＦＦになるためＲＡＭ１０４に対してリフレッシュコマンドを発行することができなくなる。そのため、ＣＰＵ１０１の電源がＯＮのうちにＲＡＭ１０４をセルフリフレシュモード（Ｓｅｌｆ  Ｒｅｆｒｅｓｈモード）に入れ（ステップＳ１０５）、電源Ａ４０１をＯＦＦする（ステップＳ１０６）。
【００２８】
上述の手順にて省電力モードに移行した後、通常動作モードへの復帰要因が発生したか否かを判断する（ステップＳ１０７）。通常動作モードへの復帰要因が発生する（判断ＹＥＳ）までは、省電力モードになっており、消費電力を低減することができる。ここでいう通常動作モード復帰要因とは、操作部２００に備えられた操作部スイッチ２０１の押下や、スキャナ３００での原稿セットおよび圧板の開閉、または、ホストＰＣ５００ａ〜ｎからの動作要求（印刷ジョブ、ＨＤＤ（ｈａｒｄ  ｄｉｓｋ  ｄｒｉｖｅ）への画像蓄積、画像読み取り）等がある。
【００２９】
ステップＳ１０７において通常動作モード復帰要因が発生（判断ＹＥＳ）したら復帰処理を開始し、ＳＴＲ移行レジスタが１であるか０であるかを判断する（ステップＳ１０８）。ここで、ＳＴＲ移行レジスタを読んで０の場合（判断ＮＯ）は、ＲＡＭ１０４の電源Ｂ４０２もＯＦＦされていたということなので、電源Ａ４０１および電源Ｂ４０２をＯＮし（ステップＳ１０９）、ＲＡＭ１０４の初期化後にＲＯＭ１０５からＲＡＭ１０４にプログラムを展開し起動する（ステップＳ１１０）。一方、ステップＳ１０８においてＳＴＲ移行レジスタを読んで１の場合（判断ＹＥＳ）は、ＲＡＭ１０４にデータが保持されていたということなので、電源Ａ４０１をＯＮし（ステップＳ１１１）、そのデータを用いて起動する（ステップＳ１１２）。これによりＲＡＭ１０４の初期化やプログラムの展開等の時間を省略することができる。
【００３０】
ところで、省電力モードから通常動作モードへ復帰する際に、省電力モード中にＲＡＭ１０４にデータが保持されていたかをＣＰＵ１０１が検知するが、その検知情報に基づいてＲＡＭ１０４の初期化を実施するか否かを判断するため、その検知時には、まだＲＡＭ１０４は使用できない。
【００３１】
一方、ＡＳＩＣ１０２はネットワークを含む各種Ｉ／Ｏ制御等を行うため、高速に大量のデータを転送する必要があり、通常、ＣＰＵ１０１とＡＳＩＣ１０２は高速に通信可能なＩ／Ｆ、たとえばＰＣＩ（Ｐｅｒｉｐｈｅｒａｌ  Ｃｏｍｐｏｎｅｎｔ  Ｉｎｔｅｒｃｏｎｎｅｃｔ）やＰＣＩ−Ｅｘｐｒｅｓｓにより接続される。
【００３２】
ただ、これらの高速Ｉ／Ｆ（インターフェイス）は、複雑な処理を含む場合があるのでＲＡＭ１０４を使用できる状態で初期化し通信制御を開始するのが好ましい。そのため、復帰時のＲＡＭ１０４を使用できない状態では、ＰＣＩ等の高速Ｉ／Ｆ（インターフェイス）の初期化はせず、ＡＳＩＣ１０２のＳＴＲ移行レジスタの値を知るには別の通信手段を持つことが好ましく、その構成の一例を図９に示し説明する。なお、この図９における機能要素について図１と同様のものは同一符号を付し、重複説明は省略する。
【００３３】
図９において、まず、ＣＰＵ１０１とＡＳＩＣ１０２の間を１本の制御線（省電力モード通知信号１０７）が接続されていて、ＡＳＩＣ１０２側が出力ポート、ＣＰＵ１０１側が入力ポートとする。ＡＳＩＣ１０２側の出力ポートは、たとえば、ＳＴＲ移行レジスタが０だったらＬｏｗレベルを出力し、１だったらＨｉｇｈレベルを出力するようにしておく。もしくは、ＡＳＩＣ１０２側の出力ポートは汎用の出力ポートとし、ＳＴＲ移行レジスタの設定時に、この汎用出力ポートの出力レベルも設定するという方法でもよい。そして、この省電力モード通知信号１０７のレベルがＣＰＵ１０１の入力ポートに入力され、そのレベルがＣＰＵ１０１のレジスタに反映され、そのレジスタの値をもって省電力モード中にＲＡＭ１０４にデータが保持されていたかをＣＰＵ１０１が判断する。
【００３４】
したがって、上述した実施の形態によれば、省電力モード時にもＲＡＭ１０４のデータを保持し高速復帰可能な画像処理装置でも、ユーザーあるいは装置自身がが「省電力優先」か「復帰時間優先」を選択することができ、「復帰時間優先」の際はＲＡＭ１０４に電力を供給し、保持していたデータを使用して高速復帰することができるが、「省電力優先」の場合はＲＡＭ１０４への電力供給を遮断するので、ＳＴＲにより高速復帰が可能な画像処理装置において、高速復帰が不要な場合に、省電力モード時の消費電力のさらなる低減を実現できる。
【産業上の利用可能性】
【００３５】
以上のように、本発明にかかる画像処理装置は、複写機やプリンタ、ファクシミリ装置、あるいはこれらの機能を含む複合機などに有用であり、特に、省電力モードから通常動作モードに高速復帰する場合の省電力化に適している。
【符号の説明】
【００３６】
１００  コントローラ
１０１  ＣＰＵ
１０２  ＡＳＩＣ
１０３  ネットワーＩ／Ｆ
１０４  ＲＡＭ
１０５  ＲＯＭ
１０６  ＮＶＲＡＭ
２００  操作部
２０１  操作部スイッチ
３００  スキャナ
３０１  圧板開閉検知センサ
３０２  原稿セット検知センサ
４０１  電源Ａ
４０２  電源Ｂ
５００ａ〜ｎ  ホストＰＣ
【先行技術文献】
【特許文献】
【００３７】
【特許文献１】特許第３７９８３５３号公報
【図１】
2011061309.tif 000003
【図２】
2011061309.tif 000004
【図３】
2011061309.tif 000005
【図４】
2011061309.tif 000006
【図５】
2011061309.tif 000007
【図６】
2011061309.tif 000008
【図７】
2011061309.tif 000009
【図８】
2011061309.tif 000010
【図９】
2011061309.tif 000011